(57)【特許請求の範囲】
【請求項１】
ヒトの頭部の核医学撮影画像の評価に用いられる脳ファントムであって、
脳室と対応する位置に配置される脳室模擬部と、
外殻部と、
を備え、
前記外殻部に前記脳室模擬部が収容された状態となるように、前記脳室模擬部を前記外殻部に固定可能であり、
前記脳室模擬部は、内部に液体を注入するための液体注入口を有する脳室中空部を含んで構成されており、
前記脳室模擬部は、前記脳室中空部を支持しているとともに前記外殻部に対して着脱可能に固定される固定部を更に備えており、
前記外殻部は、前記固定部が固定される盤状部を有し、
当該脳ファントムは、前記盤状部を貫通した状態に設けられて前記固定部を前記盤状部に固定する固定ネジを更に備え、
前記固定部は、前記盤状部に対して固定された状態で、前記盤状部の内面に対して面接触する固定面を有し、
前記固定部には、前記固定ネジの先端部が螺入されるネジ孔が、前記固定面に開口した状態に形成されており、
前記固定面には、前記ネジ孔における開口側の端部から前記固定面の端まで延在する溝が形成され、
前記固定ネジには、当該固定ネジを貫通する貫通孔が形成され、
前記固定ネジによって前記固定部が前記盤状部に固定された状態では、前記貫通孔及び前記溝を介して、前記外殻部の内部の空間と外部の空間とが相互に連通する脳ファントム。
【請求項２】
前記貫通孔は、前記固定ネジの軸心方向に延在する軸孔部と、前記軸心方向に対して交差する方向に延在していて一端が前記軸孔部に連通し他端が前記固定ネジの軸部の周面に開口している横孔部と、を含んで構成されている請求項１に記載の脳ファントム。
【請求項３】
ヒトの頭部の核医学撮影画像の評価に用いられる脳ファントムであって、
脳室と対応する位置に配置される脳室模擬部と、
外殻部と、
を備え、
前記外殻部に前記脳室模擬部が収容された状態となるように、前記脳室模擬部を前記外殻部に固定可能であり、
体積が互いに異なる複数の前記脳室模擬部を備え、
前記複数の脳室模擬部のうちのいずれか１つを選択的に前記外殻部に固定可能である脳ファントム。
【請求項４】
ヒトの頭部の核医学撮影画像の評価に用いられる脳ファントムであって、
脳室と対応する位置に配置される脳室模擬部と、
外殻部と、
を備え、
前記外殻部に前記脳室模擬部が収容された状態となるように、前記脳室模擬部を前記外殻部に固定可能であり、
線条体を模した形状及び寸法の中空形状に形成され、且つ、内部に放射性液体を注入するための放射性液体注入口を有する線条体模擬部を更に備え、
前記線条体模擬部及び前記脳室模擬部が前記外殻部に収容された状態となるように、前記線条体模擬部と前記脳室模擬部とを前記外殻部に固定可能である脳ファントム。
【請求項５】
シルビウス裂と対応する位置に配置されるシルビウス裂模擬部を更に備え、
前記シルビウス裂模擬部、前記線条体模擬部及び前記脳室模擬部が前記外殻部に収容された状態となるように、前記シルビウス裂模擬部、前記線条体模擬部及び前記脳室模擬部を前記外殻部に固定可能である請求項４に記載の脳ファントム。
【請求項６】
前記線条体模擬部と前記シルビウス裂模擬部とを互いに一体に有するシルビウス裂一体型線条体模擬部を備え、
前記シルビウス裂一体型線条体模擬部と前記脳室模擬部とが前記外殻部に収容された状態となるように、前記シルビウス裂一体型線条体模擬部と前記脳室模擬部とを前記外殻部に固定可能である請求項５に記載の脳ファントム。
【請求項７】
前記シルビウス裂模擬部は、前記線条体模擬部とは別体に形成され、前記外殻部に対して着脱可能に設けられる請求項５に記載の脳ファントム。
【請求項８】
前記外殻部は、下面側に開口が形成されているドーム型の外殻本体部と、前記外殻本体部の前記開口を閉塞する状態で前記外殻本体部に対して着脱可能に固定される下蓋部と、を備え、
前記脳室模擬部は、前記外殻本体部において前記下蓋部と対向する部位に対して固定され、
前記線条体模擬部は、前記下蓋部に対して固定される請求項４から７のいずれか一項に記載の脳ファントム。
【請求項９】
前記脳室模擬部は、内部に液体を注入するための液体注入口を有する脳室中空部を含んで構成されている請求項３から８のいずれか一項に記載の脳ファントム。
【請求項１０】
前記脳室模擬部は、前記脳室中空部を支持しているとともに前記外殻部に対して着脱可能に固定される固定部を更に備えている請求項１、２又は９のいずれか一項に記載の脳ファントム。
【請求項１１】
ヒトの頭部の核医学撮影画像の評価に用いられる脳ファントムであって、
線条体を模した形状及び寸法の中空形状に形成され、且つ、内部に放射性液体を注入するための放射性液体注入口を有する線条体模擬部と、
シルビウス裂と対応する位置に配置されるシルビウス裂模擬部と、
外殻部と、
を備え、
前記シルビウス裂模擬部及び前記線条体模擬部が前記外殻部に収容された状態となるように、前記シルビウス裂模擬部及び前記線条体模擬部を前記外殻部に固定可能である脳ファントム。
【発明の詳細な説明】
【技術分野】
【０００１】
本発明は、脳ファントムに関する。
【背景技術】
【０００２】
アルツハイマー型認知症やレビー小体型認知症、パーキンソン症候群などの種々の脳機能障害の診断や研究においては、大脳基底核の中の線条体におけるドパミンやアセチルコリンなどの神経伝達物質の定量的な検出がおこなわれている。その検出にあたっては、ポジトロン・エミッション・トモグラフィー（ＰＥＴ：Positron Emission Tomography）やシングル・フォトン・エミッション・コンピューテッド・トモグラフィ（ＳＰＥＣＴ：Single-Photon Emission Computed Tomography）などの画像診断技術を用いて、線条体を含む脳を画像化することが一般的である。ＰＥＴやＳＰＥＣＴでは、放射性同位体をトレーサーとして被験者の体内に注入し、体内から放出されるガンマ線を検出することにより、この放射性トレーサーの分布を断層画像化する。
【０００３】
上記の脳機能障害を発症すると、黒質から線条体に投射するドパミン神経やアセチルコリン神経が変性する。ニューロンから放出されたドパミンは、ドパミン受容体に結合し、またはドパミントランスポーターによって再取り込みされる。ここで、放射性同位体であるヨウ素１２３をイオフルパンに結合させた放射性液体（以下、「ＲＩ液」という場合がある）であるイオフルパン（１２３Ｉ）は、ドパミントランスポーターに結合する。
【０００４】
［１２３Ｉ］イオフルパンは、Ｎ−ω−フルオロプロピル−２β−カルボメトキシ−３β−（４−１２３Ｉ−ヨードフェニル）ノルトロパンの略称であり、１２３Ｉ−ＦＰ−ＣＩＴなどとも表記される。
【０００５】
被験者の体内に［１２３Ｉ］イオフルパンのＲＩ液を注入してＰＥＴ画像やＳＰＥＣＴ画像などの核医学画像を撮影することにより、受容体やドパミントランスポーターの増減などが検出される。これによりパーキンソン症候群（ＰＳ）の症状の度合いが定量的および定性的に診断されることがある。
なお、ＲＩ液はイオフルパン（１２３Ｉ）のほか、症例に応じて種々に選択される。
【０００６】
ＰＥＴやＳＰＥＣＴを用いた核医学画像撮影装置の性能検査やキャリブレーションには、撮影対象部位の形状および寸法に対応した人体模型（ファントム）が用いられる。このファントムに予め既知の濃度に調整されたＲＩ液を貯留して画像を撮影することで、核医学画像撮影装置の評価、すなわちこれらの装置による診断性能の検査や撮像条件および診断結果のキャリブレーションなどの各種評価をおこなうことができる。
【０００７】
脳画像化装置用のファントムに関し、特許文献１には、灰白質や大脳、基底核、前頭葉などに相当する特定領域が空洞で形成された頭部模型が記載されている。この頭部模型は光硬化性樹脂の三次元光造形により作成され、樹脂製の頭部模型の内部に、脳の特定領域および頭蓋骨に相当する部分が互いに非連通の独立した空洞として形成されている。
【０００８】
非特許文献１には、線条体の撮影画像の評価に用いられる線条体ファントムが開示されている。この線条体ファントムは、大脳を模した透明の球状の外殻の内部に４個の小型容器が設けられたものである。透明の外殻は、一対の透明椀状の軟質容器を組み合わせて球体状に分離不可に固着したものである。小型容器は、尾状核と被殻をそれぞれ模した楕円体形状の偏平容器と、この偏平容器の端部に連設された給液管とからなる。給液管は外殻に固着されており、外殻の外表面において開口している。偏平容器は外殻の略中央に配置されている。給液管を通じて外殻の外部から偏平容器の内部に高濃度のＲＩ液を充填することが可能である。一方、密閉された外殻の上端には開口部が形成されており、水または低濃度のＲＩ液を注入することができる。かかる線条体ファントムを用いて核医学画像を撮影することで、大脳を模した外殻を低い画素強度で画像化し、線条体を模した小型容器を高い画素強度で画像化することができる。これにより核医学画像撮影装置の評価が可能である。
【０００９】
撮影画像に基づき得られる評価値の一つとして、線条体とバックグラウンドとの集積濃度比を示すＳＢＲ（specific binding ratio）がある。
【先行技術文献】
【特許文献】
【００１０】
【特許文献１】国際公開第２０１０／１１６９８２号パンフレット
【非特許文献】
【００１１】
【非特許文献１】"STRIATAL PHANTOMS FOR SPECT/PET"，Radiology Support Devices社，［２０１３年６月１４日検索］，インターネット＜ＵＲＬ：http://www.rsdphantoms.com/nm_striatal.htm＞
【非特許文献２】Livia Tossici-Bolt et al., EJNMMI Vol. 33, No. 12, December 2006
【発明の概要】
【発明が解決しようとする課題】
【００１２】
ところで、本発明者等の知見により、非特許文献２記載に基づく画像処理により得られた核医学撮影画像は、必ずしも実際のヒトの脳の状態を十分に反映したものとはならないことが明らかとなった。
このため、ＳＢＲ等の評価値も、必ずしも適切な値とはならず、過小評価又は過大評価される場合がある。
【００１３】
本発明は、上記の課題に鑑みなされたものであり、実際のヒトの脳の状態を十分に反映した核医学撮影画像を容易に得ることが可能な脳ファントムを提供するものである。
【課題を解決するための手段】
【００１４】
本発明によれば、ヒトの頭部の核医学撮影画像の評価に用いられる脳ファントムであって、脳室と対応する位置に配置される脳室模擬部と、外殻部と、を備え、前記外殻部に前記脳室模擬部が収容された状態となるように、前記脳室模擬部を前記外殻部に固定可能である脳ファントムが提供される。
【００１５】
また、本発明によれば、ヒトの頭部の核医学撮影画像の評価に用いられる脳ファントムであって、線条体を模した形状及び寸法の中空形状に形成され、且つ、内部に放射性液体を注入するための放射性液体注入口を有する線条体模擬部と、シルビウス裂と対応する位置に配置されるシルビウス裂模擬部と、外殻部と、を備え、前記シルビウス裂模擬部及び前記線条体模擬部が前記外殻部に収容された状態となるように、前記シルビウス裂模擬部及び前記線条体模擬部を前記外殻部に固定可能である脳ファントムが提供される。
【発明の効果】
【００１６】
本発明によれば、実際のヒトの脳の状態を十分に反映した核医学撮影画像を容易に得ることが可能となる。
【図面の簡単な説明】
【００１７】
【図１】実施形態に係る脳ファントムを後方斜め上から見た斜視図である。
【図２】実施形態に係る脳ファントムを後方斜め上から見た分解斜視図である。
【図３】図２に示される構成の一部を更に分解した斜視図である。
【図４】外殻部の基盤部に一対のシルビウス裂一体型線条体模擬部が固定された状態を後方斜め上から見た斜視図である。
【図５】裏返した状態の外殻部の外殻本体部を後方斜め上から見た斜視図である。
【図６】外殻部の空洞部に脳室模擬部と一対のシルビウス裂一体型線条体模擬部とを配置した状態を示す脳ファントム（基盤部を除く）の下面図である。
【図７】図７（ａ）は一対のシルビウス裂一体型線条体模擬部を後方斜め上から見た斜視図であり、図７（ｂ）は一対のシルビウス裂一体型線条体模擬部の背面図であり、図７（ｃ）は一対のシルビウス裂一体型線条体模擬部の下面図である。
【図８】図８（ａ）は脳室模擬部を後方斜め上から見た斜視図であり、図８（ｂ）は脳室模擬部の背面図であり、図８（ｃ）は脳室模擬部の下面図である。
【図９】図９（ａ）は脳室模擬部の平面図であり、図９（ｂ）は図９（ａ）のＢ−Ｂ線に沿った脳室模擬部の側断面図である。
【図１０】図１０（ａ）は固定ネジの平面図、図１０（ｂ）は固定ネジの下面図、図１０（ｃ）は固定ネジを図１０（ａ）の矢印Ｃ方向から見た側面図、図１０（ｄ）は固定ネジを図１０（ａ）の矢印Ｄ方向から見た側面図、図１０（ｅ）は固定ネジを図１０（ａ）の矢印Ｅ方向から見た側面図、図１０（ｆ）は固定ネジを図１０（ａ）の矢印Ｆ方向から見た側面図である。
【図１１】実施形態に係る脳ファントムを図９（ａ）のＡ−Ａ線に相当する位置で切断したときの切断端面図である。
【図１２】脳骨部材を後方斜め上から見た分解斜視図である。
【図１３】図１３（ａ）は第１脳室模擬部と一対のシルビウス裂一体型線条体模擬部とを示す下面図であり、図１３（ｂ）は第２脳室模擬部と一対のシルビウス裂一体型線条体模擬部とを示す下面図であり、図１３（ｃ）は第３脳室模擬部と一対のシルビウス裂一体型線条体模擬部とを示す下面図である。
【図１４】変形例に係る脳ファントムを後方斜め上から見た分解斜視図である。
【図１５】変形例に係る脳ファントムのシルビウス裂模擬部の固定構造を示す図であり、一部を断面で示している。
【図１６】変形例に係る脳ファントムについて、外殻部の空洞部に脳室模擬部と一対のシルビウス裂模擬部と一対の線条体模擬部とを配置した状態を示す下面図である（基盤部を除く）。
【発明を実施するための形態】
【００１８】
以下、本発明の実施形態について、図面を用いて説明する。すべての図面において、同様の構成要素には同一の符号を付し、適宜に説明を省略する。
【００１９】
なお、本明細書においては、脳ファントム１００の構成要素の相対的な位置関係を説明するために、ヒトの脳のタライラッハ座標系（脳定位座標アトラス）のＺ軸方向における正の方向（＋Ｚ方向）を上方と便宜的に呼称し、その反対方向（−Ｚ方向）を下方と呼称する。この便宜的な上下方向は、脳ファントム１００を製造または使用する際における上下方向とは必ずしも一致しない。本実施形態の脳ファントム１００の各構成要素の位置関係を更に詳しく説明するため、図１に示すようにタライラッハ座標系と同様のＸＹＺ座標系を規定する。Ｙ軸方向における正の方向（＋Ｙ方向）は前方、それの反対方向（−Ｙ方向）は後方、Ｘ軸方向（＋Ｘ方向）における正の方向は右方、Ｘ軸方向に対する反対方向（−Ｘ方向）は左方であるものとする。
【００２０】
図１に示すように、本実施形態に係る脳ファントム１００は、ヒトの頭部の核医学撮影画像の評価に用いられる脳ファントムである。
脳ファントム１００は、脳室と対応する位置に配置される脳室模擬部１６と、外殻部１０と、を備えている。外殻部１０に脳室模擬部１６が収容された状態となるように、脳室模擬部１６を外殻部１０に固定可能となっている。
ここで、脳室模擬部１６が脳室と対応する位置に配置されるとは、例えば、外殻部１０又は後述する脳骨部材２０と、脳室模擬部１６（特に後述する脳室中空部１６１）と、の位置関係が、ヒトの頭骨と脳室との位置関係と同等であることを意味しても良いし、後述する線条体模擬部１５１と脳室模擬部１６との位置関係がヒトの線条体と脳室との位置関係と同様であることを意味していても良い。
【００２１】
脳ファントム１００は、被験者の頭部専用または頭部を含む全身を撮影するＰＥＴ装置やＳＰＥＣＴ装置などの核医学画像診断装置に装着して用いられる。具体的には、脳ファントム１００は、被験者の頭部が配置される位置に装着して用いられる。
脳ファントム１００は、ヒトの頭部の上半部、すなわち内部に脳が収容されている部分と同程度の寸法を有している。
【００２２】
本実施形態の場合、脳室模擬部１６は、脳室中空部１６１を含んで構成されている。脳室中空部１６１は、当該脳室中空部１６１の内部に液体を注入するための液体注入口１６３、１６４（図８（ｃ）、図９（ｂ）、図１１参照）を有する。
なお、脳室中空部１６１の内部（空洞部１６２）に注入及び貯留される液体は、例えば、水、又は、後述する低濃度ＲＩ液よりも更に低濃度のＲＩ液とすることができる。
ここで、脳室模擬部１６には、複数（例えば２つ）の液体注入口１６３、１６４が形成されており、且つ、これら液体注入口１６３、１６４は、図９（ｂ）に示すように、脳室模擬部１６の下部に形成されたくびれ部分（上方に向けて窪んだ部分）を間に挟んで両側（例えば前後両側）に配置されている。よって、液体注入口１６３、１６４を上向きにして液体注入口１６３、１６４から液体を注入する際に、空洞部１６２内の気泡を液体注入口１６３又は１６４のいずれか一方から良好に排気することができるため、空洞部１６２内のくびれ部分における気泡の残留を抑制することができる。
【００２３】
脳室中空部１６１は、例えば、左右対称に形成されている。
脳室中空部１６１は、脳室を模した形状及び寸法に形成されていることが好ましい。
ただし、脳室の形状及び寸法は、疾患の種類、年齢、人種等に応じて異なる場合がある。このため、脳室模擬部１６としては、疾患の種類、年齢、人種等に応じた形状及び寸法の脳室中空部１６１をそれぞれ有する複数種の脳室模擬部１６を準備しておくことが好ましく、疾患の種類、年齢、人種等に応じて、対応する形状の脳室中空部１６１を有する脳室模擬部１６を選択して外殻部１０に固定して用いることが好ましい。
【００２４】
脳ファントム１００は、更に、線条体模擬部１５１を備えている。線条体模擬部１５１は、線条体を模した形状及び寸法の中空形状に形成されている。この線条体模擬部１５１は、内部に放射性液体（以下、ＲＩ液）を注入するための放射性液体注入口１５５（図７（ａ）、図７（ｂ）、図（ｃ）参照）を有する。
そして、線条体模擬部１５１及び脳室模擬部１６が外殻部１０に収容された状態となるように、線条体模擬部１５１と脳室模擬部１６とを外殻部１０に固定可能となっている。
【００２５】
更に、脳ファントム１００は、シルビウス裂と対応する位置に配置されるシルビウス裂模擬部１５２を備えている。
そして、シルビウス裂模擬部１５２、線条体模擬部１５１及び脳室模擬部１６が外殻部１０に収容された状態となるように、シルビウス裂模擬部１５２、線条体模擬部１５１及び脳室模擬部１６を外殻部１０に固定可能となっている。
なお、本実施形態の場合、シルビウス裂模擬部１５２は、例えば、中実構造（内部に空洞がない構造）のものとなっている。
シルビウス裂模擬部１５２は、シルビウス裂を模した形状及び寸法に形成されていることが好ましい。
ここで、シルビウス裂模擬部１５２がシルビウス裂と対応する位置に配置されるとは、例えば、外殻部１０又は後述する脳骨部材２０と、シルビウス裂模擬部１５２と、の位置関係が、ヒトの頭骨とシルビウス裂との位置関係と同等であることを意味しても良いし、線条体模擬部１５１とシルビウス裂模擬部１５２との位置関係がヒトの線条体とシルビウス裂との位置関係と同様であることを意味していても良い。
【００２６】
より具体的には、本実施形態の場合、脳ファントム１００は、線条体模擬部１５１とシルビウス裂模擬部１５２とを互いに一体に有するシルビウス裂一体型線条体模擬部１５を備えている。
そして、シルビウス裂一体型線条体模擬部１５と脳室模擬部１６とが外殻部１０に収容された状態となるように、シルビウス裂一体型線条体模擬部１５と脳室模擬部１６とを外殻部１０に固定可能となっている。
【００２７】
ここで、線条体及びシルビウス裂の形状及び寸法は、疾患の種類、年齢、人種等に応じて異なる場合がある。このため、シルビウス裂一体型線条体模擬部１５としては、疾患の種類、年齢、人種等に応じた形状及び寸法のシルビウス裂模擬部１５２及び線条体模擬部１５１をそれぞれ有する複数種のシルビウス裂一体型線条体模擬部１５を準備しておき、疾患の種類、年齢、人種等に応じて、対応する形状のシルビウス裂模擬部１５２及び線条体模擬部１５１を有するシルビウス裂一体型線条体模擬部１５を選択して外殻部１０に固定して用いるようにしても良い。
【００２８】
中空の線条体模擬部１５１の内部（空洞部１５４（図３参照））にはＲＩ液が貯留される。
ＲＩ液としては、放射性核種で標識した神経伝達機能イメージング剤を用いることができる。ＲＩ液に含まれる放射性核種は特に限定されず、核医学画像診断において一般的に使用される短半減期の放射性核種を含有する液体を用いることができる。具体的な放射性核種としては、一例として、Ｃ−１１、Ｆ−１８、Ｉ−１２３、Ｔｃ−９９ｍ等が挙げられる。これらの放射性核種を溶解させる液体としては、水、生理食塩液、クエン酸２水素ナトリウム等の緩衝液、を用いることができる。
【００２９】
具体的な神経伝達機能イメージング剤のうち、ドパミン作動性神経系のトレーサーとしては、上述した［１２３Ｉ］イオフルパンのほか、［１２３Ｉ］ＩＢＺＭ、［１２３Ｉ］ＩＢＦ、［１８Ｆ］ＦＤＯＰＡ、［１１Ｃ］Ｌ−ドーパ、［１１Ｃ］βＣＩＴ、［１２３Ｉ］βＣＩＴ、［１１Ｃ］ＣＦＴ、［１１Ｃ］ＰＥ２１、［１８Ｆ］ＦＥＰＥ２１、［１１Ｃ］ＳＣＨ２３３９０、［１１Ｃ］ＮＮＣ１１２、［１１Ｃ］Ｎメチルスピペロン、［１１Ｃ］ラクロプライド、［１１Ｃ］ＦＬＢ４５７、［１１Ｃ］ＰＨＮＯ、［１１Ｃ］ＭＮＰＡ、［９９ｍＴｃ］ＴＲＯＤＡＴを用いることができる。また、セロトニン作動性神経系のトレーサーとしては、［１１Ｃ］ＭｃＮ５６５２、［１１Ｃ］ＤＡＳＢ、［１１Ｃ］ＷＡＹ−１００６３５、［１１Ｃ］ＮＭＳＰ、［１８Ｆ］アルタリンセリンなどを用いることができる。
すなわち、本実施形態の脳ファントム１００は、［１２３Ｉ］イオフルパン以外のドパミン作動性神経系のトレーサーやセロトニン作動性神経系のトレーサーによる核医学撮影画像の評価に用いることもできる。
【００３０】
また、シルビウス裂一体型線条体模擬部１５及び脳室模擬部１６の周囲、すなわち外殻部１０の空洞部１１５（図５参照）においてシルビウス裂一体型線条体模擬部１５及び脳室模擬部１６が占める領域を除く領域には、空洞部１５４に貯留されるＲＩ液よりも低濃度に希釈された低濃度ＲＩ液が貯留される。
【００３１】
また、脳室模擬部１６の脳室中空部１６１の内部（空洞部１６２（図９（ｂ）参照））には、水、又は、空洞部１１５に貯留される低濃度ＲＩ液よりも更に低濃度に希釈されたＲＩ液が貯留される。
【００３２】
核医学画像診断装置による脳ファントム１００の核医学画像の撮影は、空洞部１５４にＲＩ液が貯留され、シルビウス裂一体型線条体模擬部１５及び脳室模擬部１６の周囲に低濃度ＲＩ液が貯留され、且つ、空洞部１６２に水又は低濃度ＲＩ液よりも更に低濃度のＲＩ液が貯留された状態で行われる。この撮影により、線条体模擬部１５１（空洞部１５４）から多数のガンマ線が計数され、空洞部１１５（後述する筒状部１１４）からこれよりも少数のガンマ線が計数される。かかる計数値に基づいて脳ファントム１００を三次元画像データに再構成することにより、空洞部１１５は低い画素強度で画像化され、その内部に配置された線条体模擬部１５１の空洞部１５４は高い画素強度で画像化される。
また、空洞部１６２は、空洞部１１５よりも更に低い画素強度で画像化される。
また、シルビウス裂模擬部１５２は、エポキシ系樹脂などの光硬化性樹脂材料により構成された中実構造となっている。このため、シルビウス裂模擬部１５２が占める領域は、空洞部１１５よりも更に低い画素強度で画像化される。
得られた画像により、ヒトの線条体及び脳室を関心領域とした場合の撮影能力の性能検査やキャリブレーションなどの各種評価をすることができる。
【００３３】
外殻部１０及び線条体模擬部１５１の各内容積（空洞部１１５、空洞部１５４の各内容積）、脳室模擬部１６の体積（特に脳室中空部１６１の体積）、及び、シルビウス裂模擬部１５２の体積は、それぞれ特に限定されない。一例として、予め較正された既存の核医学画像診断装置を用いて撮影された被験者の大脳、線条体、脳室及びシルビウス裂に関する核医学画像に基づいて外殻部１０及び線条体模擬部１５１の各内容積と、脳室模擬部１６及びシルビウス裂模擬部１５２の各体積と、を決定することができる。具体的には、外殻部１０の内容積はヒトの大脳の体積と同程度であり、例えば１×１０３ミリリットル以上１．５×１０３ミリリットル以下程度とすることができる。また、一対の線条体模擬部１５１のそれぞれの内容積は１０ミリリットル以上２０ミリリットル以下程度とすることができ、脳室模擬部１６の体積（特に脳室中空部１６１の体積）は１０ミリリットル以上１００ミリリットル以下程度とすることができ、シルビウス裂模擬部１５２の体積は３０ミリリットル以下程度とすることができる。
ここで、シルビウス裂模擬部１５２は、例えば、線条体模擬部１５１においてシルビウス裂模擬部１５２と対向する側（反対側）の外壁面の肉厚よりも平面方向（ＸＹ平面）における厚みが厚い厚肉部分とすることができ、この場合、シルビウス裂模擬部１５２の体積は、当該厚肉部分の体積となる。ただし、シルビウス裂模擬部１５２は、線条体模擬部１５１とは別体の構成となっていても良く、この場合、シルビウス裂模擬部１５２の体積は、当該別体の部分の体積となる。
【００３４】
図１及び図２に示すように、外殻部１０は、脳ファントム１００の外殻を構成するものである。外殻部１０は、例えば、下面側に開口１１３（図５、図６参照）が形成されているドーム型の外殻本体部１１と、外殻本体部１１の開口１１３を閉塞する状態で外殻本体部１１に対して着脱可能に固定される下蓋部１２と、を備えている。
【００３５】
外殻本体部１１は、例えば、大脳の外表面の少なくとも一部分（例えば上半部（ただし頂部を除く））を模した形状に形成された筒状部１１４と、筒状部１１４の上端を閉塞する状態で水平に設けられている盤状の天盤部１１６と、筒状部１１４の下端の環状の縁に沿って水平に設けられている環状且つ盤状のフランジ状部１１１と、を備えて構成されている。
筒状部１１４の外面及び内面には、大脳の表面の皺を模した凹凸が形成されている。
フランジ状部１１１、筒状部１１４及び天盤部１１６は、例えば、相互に一体成形されている。
外殻本体部１１は、これらフランジ状部１１１、筒状部１１４及び天盤部１１６により囲まれた内部空間である空洞部１１５を有している。
図５及び図６に示すように、フランジ状部１１１の中央部には開口１１３が形成されており、空洞部１１５は、開口１１３を介して外殻本体部１１の外部の空間と連通している。開口１１３の内径は、下蓋部１２の上面側に固定された状態の一対のシルビウス裂一体型線条体模擬部１５を通過可能な寸法に設定されており、より具体的には、例えば、一対のシルビウス裂一体型線条体模擬部１５を支持する支持台１２５の外径よりも若干大きい程度に設定されている。
フランジ状部１１１には、当該フランジ状部１１１の下面側に開口する複数のネジ孔１１２が、フランジ状部１１１の周方向に沿って間欠的な配置で形成されている。
図１１に示すように、天盤部１１６には、当該天盤部１１６を上下に貫通するネジ孔１１８とネジ孔１１９とが形成されている。ネジ孔１１８及びネジ孔１１９は、固定ネジ１７及び固定ネジ１９を用いて天盤部１１６に対して脳室模擬部１６を固定するためのものである。
ここで、後述するように、固定ネジ１７には、軸孔部１７３及び横孔部１７４により構成された貫通孔が形成されている。
固定ネジ１７には、軸孔部１７３に螺入されることによって横孔部１７４を外部から遮蔽する栓部材１８が着脱可能に取り付けられるようになっている（図１、図２参照）。
更に、図１及び図２に示すように、天盤部１１６の周縁部には、当該天盤部１１６の上面から上方に突出する複数の突起部１１７が設けられている。突起部１１７は、３箇所以上に設けられていることが好ましく、具体的には、例えば、４つの突起部１１７が矩形の４つの頂点の各々に相当する位置に配置されている。
ここで、図１には、固定ネジ１７及び固定ネジ１９を用いて脳室模擬部１６を天盤部１１６に固定するとともに固定ネジ１７に対して栓部材１８が取り付けられた状態が示されている。
各突起部１１７の突出長は、図１の状態での天盤部１１６の上面と栓部材１８の上面（頭部１８１（図２）の上面）との高低差、並びに、図１の状態での天盤部１１６の上面と固定ネジ１９の上面（頭部１９１（図２）の上面）との高低差よりも長い突出長に設定され、且つ、互いに略等しい突出長に設定されている。
これにより、外殻本体部１１を裏返しにして水平な載置面（不図示）上に載置したときに、固定ネジ１７、栓部材１８及び固定ネジ１９が載置面に接触することなく、複数の突起部１１７によって外殻本体部１１を自立させることができるようになっている。
【００３６】
脳室模擬部１６は、天盤部１１６に支持された状態で空洞部１１５の内部に配置される。すなわち、脳室模擬部１６は、外殻本体部１１において下蓋部１２と対向する部位（天盤部１１６）に対して固定される。
一方、詳細は後述するように、シルビウス裂一体型線条体模擬部１５は下蓋部１２に支持された状態で空洞部１１５の内部に配置される。すなわち、線条体模擬部１５１は（線条体模擬部１５１を含むシルビウス裂一体型線条体模擬部１５は）、下蓋部１２に対して固定される。
【００３７】
外殻本体部１１は、その全体（天盤部１１６、筒状部１１４及びフランジ状部１１１）が一体成形されている。
ここで、空洞部１１５の直径は、フランジ状部１１１の開口１１３や天盤部１１６のネジ孔１１８、１１９よりも大径である。すなわち、外殻本体部１１は、フランジ状部１１１及び天盤部１１６に形成された開口よりも大きな中空の空洞部１１５を有している。
外殻本体部１１を成形する方法は限定されないが、エポキシ系樹脂などの光硬化性樹脂材料を用いた光造形法などの三次元成形方法が好適に用いられる。具体的には、例えば、天盤部１１６とフランジ状部１１１とのうち一方から他方に−Ｚ方向または＋Ｚ方向に光硬化性樹脂材料を一層ずつ光硬化させて外殻本体部１１を三次元積層して成形することができる。
【００３８】
本実施形態の脳ファントム１００は、より好ましくは、シルビウス裂一体型線条体模擬部１５、脳室模擬部１６及び外殻部１０を含む全体（後述するＯリングを除く）がエポキシ系樹脂などの光硬化性樹脂材料から形成されている。これにより、脳ファントム１００は高い機械的および熱的強度を得ることができ、複数回に亘ってシルビウス裂一体型線条体模擬部１５及び脳室模擬部１６を着脱したり、脳ファントム１００を核医学画像診断装置に着脱したりしても変形または破損することを抑制できるようになっている。
【００３９】
図２から図４に示すように、下蓋部１２は、盤状に形成されている。
より具体的には、下蓋部１２は、例えば、円盤状などの盤状に形成され一対のシルビウス裂一体型線条体模擬部１５が装着される支持台１２５と、支持台１２５の周囲を取り囲んで形成された上段溝部１２４及び環状溝１２３と、上段溝部１２４及び環状溝１２３の周囲を取り囲んでいて当該下蓋部１２の周縁部を構成する環状盤部１２１と、を備えている。
支持台１２５の上面は、環状盤部１２１の上面よりも上方に位置していることが好ましい。上段溝部１２４及び環状溝１２３の上面（底面）は、支持台１２５の上面及び環状盤部１２１の上面よりも下方に窪んでいる。環状溝１２３の上面（底面）は、上段溝部１２４の上面よりも更に下方に窪んでいる。
環状盤部１２１において、フランジ状部１１１のネジ孔１１２の各々と対応する位置には、それぞれ環状盤部１２１を上下に貫通するネジ孔１２２が形成されている。図１１に示すように、固定ネジ３１を、ネジ孔１２２を介してネジ孔１１２に螺入することによって、下蓋部１２をフランジ状部１１１に対して固定することができるようになっている。この際、環状溝１２３にＯリング（不図示）などの封止部材を配置した状態で下蓋部１２をフランジ状部１１１に固定することによって、下蓋部１２とフランジ状部１１１とは液密に封止されるようになっている。一例として、Ｏリングとしては、シリコーンゴムやニトリルゴムなどの耐薬品性の合成ゴム材料を用いることができる。なお、上段溝部１２４とフランジ状部１１１との間の間隙は、Ｏリングが環状溝１２３とフランジ状部１１１との間で圧縮された状態でのＯリングの一部分を逃がす領域となる。
【００４０】
本実施形態において線条体（striatum）とはヒトの新線条体（背側線条体）を意味する。ヒトは一対の線条体（左線条体および右線条体）を有する。一対の線条体は、それぞれ被殻と尾状核とで構成されている。本実施形態の脳ファントム１００は、一対の線条体をそれぞれ模した一対の線条体模擬部１５１を有している。
所定の形状および寸法の中空の線条体模擬部１５１の内部（空洞部１５４）に既知の濃度のＲＩ液を充填し、これを核医学画像診断装置で撮影して画像化することにより、当該核医学画像診断装置の撮影能力を評価することができる。
【００４１】
図４、図７（ａ）、図７（ｂ）及び図７（ｃ）に示すように、脳ファントム１００は、左右一対のシルビウス裂一体型線条体模擬部１５、すなわちシルビウス裂一体型線条体模擬部１５ａ及び１５ｂを備えている。
シルビウス裂一体型線条体模擬部１５ａは、左線条体を模した線条体模擬部１５１と、左側のシルビウス裂を模したシルビウス裂模擬部１５２と、を有している。
一方、シルビウス裂一体型線条体模擬部１５ｂは、右線条体を模した線条体模擬部１５１と、右側のシルビウス裂を模したシルビウス裂模擬部１５２と、を有している。
一対のシルビウス裂一体型線条体模擬部１５ａ、１５ｂは、外殻部１０に対して個別に着脱可能に固定される。
【００４２】
図７（ａ）、図７（ｂ）及び図７（ｃ）に示すように、各シルビウス裂一体型線条体模擬部１５ａ、１５ｂにおける線条体模擬部１５１は、互いの対向部位に配置されている。
一方、シルビウス裂一体型線条体模擬部１５ａのシルビウス裂模擬部１５２は、シルビウス裂一体型線条体模擬部１５ａにおけるシルビウス裂一体型線条体模擬部１５ｂ側とは反対側の部位に配置されている。同様に、シルビウス裂一体型線条体模擬部１５ｂのシルビウス裂模擬部１５２は、シルビウス裂一体型線条体模擬部１５ｂにおけるシルビウス裂一体型線条体模擬部１５ａ側とは反対側の部位に配置されている。
【００４３】
線条体模擬部１５１は、シルビウス裂一体型線条体模擬部１５に空洞部１５４を形成することにより構成された中空体である。
一方、シルビウス裂模擬部１５２は、樹脂材料により構成された中実の構造体である。
本実施形態の場合、シルビウス裂模擬部１５２は、線条体模擬部１５１における対向側の外壁面の肉厚よりも平面方向（ＸＹ平面）における厚みが厚い。
【００４４】
シルビウス裂一体型線条体模擬部１５は、線条体模擬部１５１とシルビウス裂模擬部１５２とを有する本体部から垂下した形状の支柱部１５３を有している。支柱部１５３は、平断面形状が非円形に形成されている（図７（ｃ）参照）。
より具体的には支柱部１５３の外周には、位置決め構造として、２本の突条が、支柱部１５３の延在方向であるＺ方向に沿って形成されている。これら２本の突条は、支柱部１５３において互いに反対側の位置に形成され、それぞれ支柱部１５３の略全長に亘って形成されている。より具体的には、一方の突条は支柱部１５３の前側に配置され、他方の突条は支柱部１５３の後側に配置されている。これら突条は、例えば平断面形状が矩形に形成されている。また、一方の突条は、他方の突条よりも太幅に形成されている。
【００４５】
空洞部１５４は、シルビウス裂一体型線条体模擬部１５の本体部と支柱部１５３とに亘って形成されており、支柱部１５３の下端には、空洞部１５４とシルビウス裂一体型線条体模擬部１５の外部空間とを相互に連通させる放射性液体注入口１５５が開口している。
【００４６】
線条体模擬部１５１は、ヒトの線条体における尾状核、より具体的には尾状核頭を模した部分である膨出部１５６を含んで構成されていることが好ましい。
膨出部１５６は、線条体模擬部１５１の前部（＋Ｙ側）に配置されており、一対のシルビウス裂一体型線条体模擬部１５の膨出部１５６は、互いの方向に向けて膨出した形状に形成されている。
【００４７】
なお、線条体模擬部１５１における膨出部１５６の反対側（後部：−Ｙ側）には、ヒトの線条体の尾状核尾を模した直線状の尾部（不図示）が形成されていることも好ましい。この場合、一対のシルビウス裂一体型線条体模擬部１５は、それぞれの尾部が互いに略平行になるように下蓋部１２に取り付けられる。
【００４８】
シルビウス裂一体型線条体模擬部１５は、例えば、エポキシ系樹脂などの光硬化性樹脂材料により構成することができる。シルビウス裂一体型線条体模擬部１５は、例えば、光造形法などの三次元成形方法により作製することができる。具体的には、シルビウス裂一体型線条体模擬部１５の形状を、Ｚ方向すなわち支柱部１５３の軸方向において多層の断層データに分割し、光硬化性樹脂材料を一層ずつ光硬化させてシルビウス裂一体型線条体模擬部１５を三次元積層成形する。これにより、空洞部１５４において線条体模擬部１５１を構成する部分の内腔を、空洞部１５４において支柱部１５３内の部分よりも大径に形成することが容易となる。
【００４９】
一対のシルビウス裂一体型線条体模擬部１５ａ、１５ｂはＹＺ平面を基準として対称（左右対称）に配置される。
より具体的には、例えば、一対の線条体模擬部１５１は、互いの対向間隔が前頭側（＋Ｙ側）から後頭側（−Ｙ側）に向かって広がるハの字型（truncated chevron shape）に配置されることが好ましい。ただし、線条体模擬部１５１を配置する位置及び向きは、この例に限られず、また、線条体模擬部１５１の形状及び寸法も特に限定されない。一例として、予め較正された既存の核医学画像診断装置を用いて撮影された被験者の線条体に関する平均的な核医学画像に基づいて、線条体模擬部１５１の形状、寸法及び配置を設定することができる。
図４に示す一対の線条体模擬部１５１の配置は、特に日本人などの東洋人を被験者とする場合の核医学画像診断装置の評価に好適に用いられる。すなわち、線条体の形状や寸法は人種により異なることが本発明者らの知見により明らかになっており、東洋人の線条体の核医学画像を撮影する場合の核医学画像診断装置の評価には、東洋人の線条体を模した本実施形態の線条体模擬部１５１を用いることが好ましい。
【００５０】
図３に示すように、外殻部１０の下蓋部１２は、支持台１２５の上面から上方に突出した状態に設けられた一対の筒状支持突起１２６を更に備えている。
筒状支持突起１２６は、軸方向が上下方向の筒状に形成されている。筒状支持突起１２６には、当該筒状支持突起１２６の上端面に開口する内腔１２７と、一端が内腔１２７に連通していて他端が筒状支持突起１２６の側周面に開口している横孔であるネジ孔１２８と、が形成されている。
内腔１２７は、支柱部１５３を上方から嵌入可能な平断面形状に形成されている。
上述のように、支柱部１５３は、平断面形状が非円形である。このため、支柱部１５３を内腔１２７に嵌入することにより、支柱部１５３の軸周りにおいて、筒状支持突起１２６に対するシルビウス裂一体型線条体模擬部１５の回転角度が定まる。より具体的には、支柱部１５３は上下に延在する２本の突条を有し、且つこれら突条の幅が互いに異なっているため、支柱部１５３を内腔１２７に挿入するだけで、支柱部１５３の軸周りにおいて、下蓋部１２に対するシルビウス裂一体型線条体模擬部１５の回転角度が定まる。よって、シルビウス裂一体型線条体模擬部１５を下蓋部１２に対して装着する際に、シルビウス裂一体型線条体模擬部１５の前後の向きを間違ってしまうことを抑制できる。
一対の筒状支持突起１２６のそれぞれに対して、対応するシルビウス裂一体型線条体模擬部１５が着脱可能に固定されるようになっている。一対の筒状支持突起１２６に対してシルビウス裂一体型線条体模擬部１５がそれぞれ固定された状態で、これらシルビウス裂一体型線条体模擬部１５がそれぞれ空洞部１１５内の所定の位置に配置されるように、一対の筒状支持突起１２６の位置が設定されている。
【００５１】
脳室模擬部１６は、例えば、脳室中空部１６１を支持しているとともに外殻部１０に対して着脱可能に固定される固定部１６５を備えている（図８（ａ）、図８（ｂ）、図８（ｃ）、図９（ａ）及び図９（ｂ）参照）。
【００５２】
図１１に示すように、固定部１６５は、天盤部１１６の下面（内面）に対して固定される。したがって、固定部１６５は、脳室中空部１６１を吊り下げ支持することとなる。固定部１６５は、ブロック状の形状に形成されている。固定部１６５が天盤部１１６に固定された状態で、固定部１６５の上面は、天盤部１１６の下面に対して面接触する。
【００５３】
脳室模擬部１６は、固定ネジ１７及び固定ネジ１９を用いて、天盤部１１６に対して固定される。
固定部１６５には、固定ネジ１７の先端部が螺入されるネジ孔１６６と、固定ネジ１９の先端部が螺入されるネジ孔１６７と、がそれぞれ固定部１６５の上面に開口した状態に形成されている。なお、ネジ孔１６６は、固定部１６５の前部に配置され、ネジ孔１６７は、固定部１６５の後部に配置されている。
固定部１６５の上面には、ネジ孔１６６における開口側の端部から、当該上面の端まで延在する溝１６８が形成されている。
【００５４】
ここで、図８（ａ）及び図９（ａ）に示すように、ネジ孔１６６は、例えば、固定部１６５の前部に配置されており、固定部１６５の上面には、３つの溝１６８が形成されている。このうち１つの溝１６８は、ネジ孔１６６から前方に延び、他の１つの溝１６８は、ネジ孔１６６から左方に延び、残りの１つの溝１６８は、ネジ孔１６６から右方に延びている。このように、固定部１６５には、複数の方向（例えば９０°間隔で三方）にそれぞれ延びる複数（例えば３つ）の溝１６８が形成されている。
なお、溝１６８の底面と天盤部１１６の下面との間の間隙は、空洞部１１５に低濃度ＲＩ液を注入する際の低濃度ＲＩ液の流路となるとともに、空洞部１１５内の空気を排出するための排気路となる。
固定ネジ１７には、軸孔部１７３から複数に分岐して横孔部１７４が形成されていることにより、空洞部１１５に低濃度ＲＩ液を注入しながら空洞部１１５内の空気を排気することが容易となっている。
【００５５】
図８（ｃ）に示すように、脳室中空部１６１には、脳室中空部１６１の内部の空洞部１６２に水等の液体を注入するための液体注入口１６３、１６４が形成されている。
例えば、液体注入口１６３は、脳室中空部１６１の下面側の前部に配置され、液体注入口１６４は、脳室中空部１６１の下面側の後部に配置されている。
【００５６】
図１１に示すように、脳ファントム１００は、更に、液体注入口１６３に対して着脱可能に取り付けられることによって該液体注入口１６３を閉塞する栓部材４１と、液体注入口１６４に対して着脱可能に取り付けられることによって該液体注入口１６４を閉塞する栓部材４２と、を備えている。栓部材４１、４２は、例えば、それぞれネジであり、液体注入口１６３、１６４とそれぞれ螺合することによって、液体注入口１６３、１６４に対して固定される。
なお、空洞部１６２は、ネジ孔１６６及びネジ孔１６７のいずれとも連通していない。栓部材４１、４２がそれぞれ液体注入口１６３、１６４に対して取り付けられることにより、空洞部１６２は液密に密閉されるようになっている。
【００５７】
脳室模擬部１６は、当該脳室模擬部１６の少なくとも一部分が、一対のシルビウス裂一体型線条体模擬部１５ａ、１５ｂどうしの間隙に位置するように、空洞部１１５の中央部に配置される。
なお、シルビウス裂一体型線条体模擬部１５ａ、１５ｂ及び脳室模擬部１６の設置高さは、多数の被験者の平均的な核医学画像に基づいて決定することができる。
【００５８】
脳室模擬部１６を成形する方法は限定されないが、エポキシ系樹脂などの光硬化性樹脂材料を用いた光造形法などの三次元成形方法が好適に用いられる。具体的には、例えば、−Ｚ方向または＋Ｚ方向に光硬化性樹脂材料を一層ずつ光硬化させて脳室模擬部１６を三次元積層して成形することができる。
【００５９】
図１０（ａ）、図１０（ｂ）、図１０（ｃ）、図１０（ｄ）、図１０（ｅ）及び図１０（ｆ）に示すように、固定ネジ１７は、例えば、外周面にねじ山が形成された軸部１７２と、軸部１７２の軸心方向に対して直交する配置で軸部１７２の一端に設けられた平面視多角形状（例えば四角形状）の扁平な盤状の頭部１７１と、を備えて構成されている。
固定ネジ１７には、軸孔部１７３と、横孔部１７４と、を含んで構成された貫通孔が形成されている。
軸孔部１７３は、例えば、頭部１７１の上面から軸部１７２の下端に亘って固定ネジ１７の中心軸を貫通している。すなわち、軸孔部１７３は、固定ネジ１７の軸心方向に延在している。軸孔部１７３は、栓部材１８の後述する軸部１８２と螺合する雌ねじ形状に形成されている。
横孔部１７４は、例えば、当該横孔部１７４の一端が軸孔部１７３に連通していて、当該横孔部１７４の他端が軸部１７２の周面に開口している。横孔部１７４は、軸孔部１７３に対して交差する方向（例えば直交する方向）に延在している。
より具体的には、例えば、固定ネジ１７には、固定部１６５の各溝１６８とそれぞれ１対１で対応する複数の横孔部１７４が形成されている。すなわち、図１０（ａ）に示すように、固定ネジ１７には、軸孔部１７３を中心として９０°間隔で三方に延びる３つの横孔部１７４が形成されている。
【００６０】
図１１に示すように、横孔部１７４は、固定ネジ１７によって脳室模擬部１６を天盤部１１６に固定した状態において、天盤部１１６の下面を上下にまたぐ位置に配置されている。すなわち、図１１の状態で、横孔部１７４の上端は天盤部１１６の下面よりも上に位置し、横孔部１７４の下端は天盤部１１６の下面よりも下に位置する。
しかも、固定ネジ１７によって脳室模擬部１６を天盤部１１６に固定した状態で、各横孔部１７４は、それぞれ対応する溝１６８の方を向く（各横孔部１７４の延長上に溝１６８が位置する）ようになっている。
このため、この状態では、各溝１６８、各横孔部１７４及び軸孔部１７３を介して、外殻部１０の内部の空間（空洞部１１５）と、外殻部１０の外部の空間とが相互に連通するようになっている。
【００６１】
このように、外殻部１０は、固定部１６５が固定される盤状部（天盤部１１６）を有している。
脳ファントム１００は、盤状部を貫通した状態に設けられて固定部１６５を盤状部に固定する固定ネジ１７を備えている。
固定部１６５は、盤状部に対して固定された状態で、盤状部の内面に対して面接触する固定面（固定部１６５の上面）を有している。
固定部１６５には、固定ネジ１７の先端が螺入されるネジ孔１６６が、固定面に開口した状態に形成されており、固定面には、ネジ孔１６６における開口側の端部から固定面の端まで延在する溝１６８が形成されている。
また、固定ネジ１７には、当該固定ネジ１７を貫通する貫通孔（軸孔部１７３及び横孔部１７４）が形成され、固定ネジ１７によって固定部１６５が盤状部に固定された状態では、貫通孔及び溝１６８を介して、外殻部１０の内部の空間と外部の空間とが相互に連通する。
【００６２】
ここで、図１０（ｃ）、図１０（ｄ）及び図１０（ｅ）に示すように、横孔部１７４は、軸部１７２の軸方向に長い長孔であることが好ましい。すなわち、軸部１７２の軸方向と横孔部１７４の長軸方向とが一致していることが好ましい。これにより、軸部１７２の製造ばらつきによって横孔部１７４の高さ位置がばらついたとしても、固定ネジ１７によって脳室模擬部１６を天盤部１１６に固定した状態において横孔部１７４と溝１６８とが確実に連通する構成を実現することができる。
また、軸部１７２の径方向に対して平行な方向における横孔部１７４の開口幅には制約が存在するが、軸部１７２の軸方向における横孔部１７４の開口幅の制約は緩い。よって、横孔部１７４が軸部１７２の軸方向に長い長孔であることにより、軸部１７２の径方向に対して平行な方向における横孔部１７４の開口幅を抑制しつつも、横孔部１７４の開口面積を極力大きく確保することができるため、横孔部１７４を通過する流体の圧損を抑制することができる。
【００６３】
なお、固定ネジ１７の頭部１７１の下面には、図１０（ｂ）に示すように、軸部１７２を囲む環状溝１７５が形成されている。環状溝１７５と天盤部１１６の上面との間に図示しないＯリングが介装されることが好ましい。
【００６４】
固定ネジ１９は、例えば、図２に示すように、外周面にねじ山が形成された軸部１９２と、軸部１９２の軸心方向に対して直交する配置で軸部１９２の一端に設けられた平面視多角形状（例えば四角形状）の扁平な盤状の頭部１９１と、を備えて構成されている。
なお、固定ネジ１９の軸部１９２は、固定ネジ１７の軸部１７２よりも細い。換言すれば、脳ファントム１００は、脳室模擬部１６を外殻部１０に固定するための複数のネジを備え、この複数のネジには、第１ネジ（固定ネジ１７）と、第２ネジ（固定ネジ１９）と、が含まれ、第１ネジの軸部の径は、第２ネジの軸部の径よりも大きく、第１ネジに上記の貫通孔（軸孔部１７３及び横孔部１７４）が形成されている。
【００６５】
栓部材１８は、例えば、図２に示すように、外周面にねじ山が形成された軸部１８２と、軸部１８２の軸心方向に対して直交する配置で軸部１８２の一端に設けられた平面視多角形状（例えば四角形状）の扁平な盤状の頭部１８１と、を備えて構成されている。
軸部１８２は、固定ネジ１７の軸部１７２よりも細径に形成されている。
【００６６】
なお、固定ネジ１７の軸部１７２は、天盤部１１６のネジ孔１１８に対して液密に螺合する。
また、固定ネジ１９の軸部１９２は、天盤部１１６のネジ孔１１９に対して液密に螺合する。
更に、栓部材１８の軸部１８２は、固定ネジ１７の軸孔部１７３に対して液密に螺合する。
【００６７】
脳ファントム１００は、更に、図１２に示される脳骨部材２０を備えている。
脳骨部材２０は、ヒトの頭蓋骨によるガンマ線の減衰を模擬するための部材であり、炭酸カルシウム、硫酸カルシウムまたは水酸化カルシウムを添加したエポキシ系樹脂などの樹脂材料を湾曲した板状に成形することにより構成されている。脳骨部材２０は、筒状部１１４の外周面または内周面に密着した状態で筒状部１１４に装着される。本実施形態の場合、筒状部１１４の外周面に密着した状態で筒状部１１４に装着される。
【００６８】
脳骨部材２０は、相互に別体に形成された複数の部分により構成された分割構造をなしている。脳骨部材２０は、例えば、第１部分２１と第２部分２２との２つの部分からなる。
第１部分２１は、筒状部１１４の左半部の外面に沿って取り付けられるものであり、筒状部１１４の左半部の外面の凹凸を反映した形状に形成されている。第２部分２２は、筒状部１１４の右半部の外面に沿って取り付けられるものであり、筒状部１１４の右半部の外面の凹凸を反映した形状に形成されている。
第１部分２１の前部と後部には接合用段差部２３が形成され、第２部分２２の前部と後部には接合用段差部２４が形成されている。
脳骨部材２０の第１部分２１及び第２部分２２を筒状部１１４の外面に対して外側から装着することにより、接合用段差部２３と接合用段差部２４とが相互に係合して第１部分２１と第２部分２２とにより脳骨部材２０が構成されるとともに、第１部分２１及び第２部分２２の凹凸が筒状部１１４の凹凸に対して密着する。
【００６９】
脳骨部材２０は、筒状部１１４の全体を覆う寸法で構成されてもよく、または筒状部１１４のＺ寸法の一部を覆う寸法で構成されてもよい。脳骨部材２０のＺ方向寸法は、線条体模擬部１５１、シルビウス裂模擬部１５２及び脳室中空部１６１のＺ方向寸法よりも大きい。脳骨部材２０は、空洞部１１５の内部に配置された線条体模擬部１５１、シルビウス裂模擬部１５２及び脳室中空部１６１を体軸方向（Ｚ方向）に内包するように、筒状部１１４に対して装着される。
【００７０】
脳骨部材２０（第１部分２１及び第２部分２２）の成形方法は特に限定されない。一例として、光造形法などの三次元成形方法により脳骨部材２０を成形することができる。ただし、本実施形態の脳骨部材２０は半割環状であって中空部を有していないため、射出成形や、板状の樹脂材料のプレス加工によっても成形することができる。
【００７１】
ここで、脳ファントム１００は、体積が互いに異なる複数の脳室模擬部１６を備えており、複数の脳室模擬部１６のうちのいずれか１つを選択的に外殻部１０に固定可能であることが好ましい。
すなわち、例えば、図１３（ａ）、図１３（ｂ）及び図１３（ｃ）に示すように、脳ファントム１００は、３種類の体積（寸法）の脳室模擬部１６（図１３（ａ）に示す第１脳室模擬部１６ａ、図１３（ｂ）に示す第２脳室模擬部１６ｂ、図１３（ｃ）に示す第３脳室模擬部１６ｃ）を備えている。
このうち第１脳室模擬部１６ａの脳室中空部１６１は、健常者の平均的な脳室の体積と同等の体積を持つ。一方、第２脳室模擬部１６ｂ及び第３脳室模擬部１６ｃの各々の脳室中空部１６１は、第１脳室模擬部１６ａの脳室中空部１６１よりも体積が大きい。すなわち、第２脳室模擬部１６ｂ及び第３脳室模擬部１６ｃの脳室中空部１６１は、疾患者の脳室を模したものである。
したがって、疾患の種類、年齢、人種等に応じて、最適な体積の脳室模擬部１６を選択的に用いて、核医学画像を撮像することができる。
【００７２】
ここで、各脳室模擬部１６について、シルビウス裂一体型線条体模擬部１５の前端位置から前方に突出する部分の突出長（Ｌ１、Ｌ２、Ｌ３）は、第１脳室模擬部１６ａの突出長Ｌ１よりも第２脳室模擬部１６ｂの突出長Ｌ２が長い。
なお、第３脳室模擬部１６ｃの突出長Ｌ３は、突出長Ｌ２よりも短く、突出長Ｌ１と同等であるか又はそれ以下である。
各脳室模擬部１６は、ドパミントランスポーターイメージング剤を用いた健常者や患者の脳核医学画像から、脳室に対応する欠損部位を抽出し、その形状に基づいて適宜設計することができる。
【００７３】
また、各脳室模擬部１６について、一対のシルビウス裂一体型線条体模擬部１５に挟まれているか又はシルビウス裂一体型線条体模擬部１５よりも後方に突出している部分の左右幅（Ｗ１、Ｗ２、Ｗ３）は、第１脳室模擬部１６ａの左右幅Ｗ１よりも第２脳室模擬部１６ｂの左右幅Ｗ２が大きく、左右幅Ｗ２よりも更に左右幅Ｗ３が大きい。
【００７４】
次に、脳ファントム１００の使用方法の一例を説明する。
【００７５】
先ず、一対のシルビウス裂一体型線条体模擬部１５の各々の空洞部１５４に対し、放射性液体注入口１５５からＲＩ液を注入する。このとき、放射性液体注入口１５５が上向きとなるようにシルビウス裂一体型線条体模擬部１５を保持した状態でＲＩ液を注入することにより、空洞部１５４の内部に実質的に空気の気泡が残留することなく、空洞部１５４にＲＩ液を充填することができる。
【００７６】
次に、放射性液体注入口１５５を栓部材１４によって液密に閉塞する。栓部材１４は、支柱部１５３に形成された雌ネジに対し、放射性液体注入口１５５から螺入されて液密に螺合するネジであっても良いし、支柱部１５３の内腔に対し、放射性液体注入口１５５から圧入固定されるピンであっても良い。
【００７７】
なお、空洞部１５４において、支柱部１５３内の部分で、且つ、栓部材１４が挿入される部分には、ＲＩ液が存在しないこととなる。このため、空洞部１５４において支柱部１５３内の部分の全域に亘って栓部材１４が挿入されるように、栓部材１４の長さが設定されていることが好ましい。
ここで、シルビウス裂一体型線条体模擬部１５が外殻部１０から分離した状態で空洞部１５４にＲＩ液を注入することができ、且つ、放射性液体注入口１５５を栓部材１４で閉塞した上で、シルビウス裂一体型線条体模擬部１５を外殻部１０に固定できる。このため、空洞部１５４へのＲＩ液の注入の作業性、並びに、外殻部１０に対するシルビウス裂一体型線条体模擬部１５の固定作業の作業性が良好である。
【００７８】
次に、栓部材１４が取り付けられた状態の各シルビウス裂一体型線条体模擬部１５の支柱部１５３の下部を、それぞれ対応する筒状支持突起１２６の内腔１２７に差し込む。
ここで、支柱部１５３は、平断面形状が非円形に形成されており、内腔１２７は、支柱部１５３と対応する平断面形状に形成されている。このため、支柱部１５３が内腔１２７に差し込まれた状態において、支柱部１５３の軸周りにおけるシルビウス裂一体型線条体模擬部１５の回転が規制される。このときに、上述したように、一対の線条体模擬部１５１は、互いの対向間隔が前頭側から後頭側に向かって広がるハの字型に配置されるようになっている。
更に、各筒状支持突起１２６のネジ孔１２８に対して、それぞれ固定ネジ１３を螺入させる。これにより、固定ネジ１３の先端が、各支柱部１５３を側方から各筒状支持突起１２６に対して押し付けることとなる。こうして、各筒状支持突起１２６に対して支柱部１５３を着脱可能に固定することができる。
【００７９】
一方、脳室模擬部１６の液体注入口１６３、１６４から空洞部１６２に水を注入した後、液体注入口１６３、１６４を栓部材４１、４２により閉塞する。そして、固定ネジ１７と固定ネジ１９とを用いて脳室模擬部１６を天盤部１１６に固定する。
更に、栓部材１８を固定ネジ１７の軸孔部１７３に螺入して軸孔部１７３を一旦閉塞する。
【００８０】
次に、開口１１３が上向きに開口するように外殻本体部１１を裏返して複数の突起部１１７によって自立させ、その状態で、空洞部１１５に低濃度ＲＩ液を充填する。
【００８１】
次に、上記のように一対のシルビウス裂一体型線条体模擬部１５が固定された下蓋部１２をフランジ状部１１１に装着する。これにより、一対のシルビウス裂一体型線条体模擬部１５を空洞部１１５の内部において、脳室模擬部１６の両脇にそれぞれ配置する。
【００８２】
次に、脳ファントム１００を再び裏返して、天盤部１１６が上、下蓋部１２が下の姿勢とする。
この状態で、栓部材１８を固定ネジ１７から取り外す（図１１参照）。
次に、固定ネジ１７の貫通孔（軸孔部１７３、横孔部１７４）と、溝１６８を介して、低濃度ＲＩ液を更に空洞部１１５に注入する。これにより、空洞部１１５内に実質的に空気が残留することなく、空洞部１１５に低濃度ＲＩ液を充填することができる。
次に、栓部材１８により固定ネジ１７の軸孔部１７３を閉塞する。
【００８３】
なお、脳骨部材２０を筒状部１１４に取り付けるタイミングは、脳ファントム１００の放射線画像を撮像する前のタイミングであれば、いつでも良い。
【００８４】
次に、脳ファントム１００を核医学画像診断装置のヘッドレスト（図示せず）に固定し、専用カメラでこれを撮影して核医学撮像画像を収集する。
【００８５】
以上のような実施形態によれば、脳ファントム１００は、脳室と対応する位置に配置される脳室模擬部１６を備えているため、実際のヒトの脳の状態をよりリアルに反映した核医学撮影画像を容易に得ることができる。
【００８６】
また、脳ファントム１００は、体積が互いに異なる複数の脳室模擬部１６（例えば第１脳室模擬部１６ａ、第２脳室模擬部１６ｂ、第３脳室模擬部１６ｃ）を備え、複数の脳室模擬部１６のうちのいずれか１つを選択的に外殻部１０に固定可能である。よって、疾患の種類、年齢、人種等に応じて、最適な体積の脳室模擬部１６を用いることができる。このため、実際のヒトの脳の状態を更にリアルに反映した核医学撮影画像を容易に得ることができる。
【００８７】
また、脳ファントム１００は、線条体を模した形状及び寸法の中空形状に形成され且つ内部に放射性液体を注入するための放射性液体注入口１５５を有する線条体模擬部１５１と、シルビウス裂と対応する位置に配置されるシルビウス裂模擬部１５２と、を備えているため、実際のヒトの脳の状態をよりリアルに反映した核医学撮影画像を容易に得ることができる。
【００８８】
以上、図面を参照して実施形態を説明したが、これらは本発明の例示であり、上記以外の様々な構成を採用することもできる。
【００８９】
例えば、上記の実施形態では、脳ファントム１００が、線条体模擬部１５１とシルビウス裂模擬部１５２とを一体に有するシルビウス裂一体型線条体模擬部１５を備えている例を説明した。
ただし、図１４から図１６に示す変形例のように、脳ファントム１００は、互いに別体の線条体模擬部１５１とシルビウス裂模擬部１５２とを備えていても良い。この場合、線条体模擬部１５１は、シルビウス裂模擬部１５２とは独立した構造の中空体により構成され、シルビウス裂模擬部１５２は、例えば、線条体模擬部１５１とは独立した構造の中実体により構成される。なお、この場合において、線条体模擬部１５１とシルビウス裂模擬部１５２とは、それぞれ別個に外殻部１０に対して固定されるようになっていても良いし、線条体模擬部１５１とシルビウス裂模擬部１５２とのうちの一方が外殻部１０に対して固定されるとともに、他方が一方に対して固定されるようになっていても良い。
【００９０】
図１４から図１６に示す変形例では、シルビウス裂模擬部１５２は、線条体模擬部１５１とは別体に形成され、外殻部１０に対して着脱可能に設けられるようになっている。より詳細には、線条体模擬部１５１は外殻部１０の下蓋部１２に対して固定される一方で、シルビウス裂模擬部１５２は外殻本体部１１のフランジ状部１１１に対して固定される。
図１４に示すように、変形例においては、シルビウス裂模擬部１５２は、例えば、ブロック状の本体部５１と、本体部５１から突出した状態に形成されている固定用柱状部５４と、を備えている。例えば、複数の固定用柱状部５４が、本体部５１の１つの面から互いに同方向に（例えば本体部５１の下面から下方に向けて）突出している。
図１５に示すように、各固定用柱状部５４には、各々の先端に向けて開口するネジ孔５４ａが形成されている。一方、フランジ状部１１１には、ネジ孔５４ａと同径のネジ孔６１が、フランジ状部１１１を貫通した状態に形成されている。フランジ状部１１１には、シルビウス裂模擬部１５２の各ネジ孔５４ａとそれぞれ１対１で対応する複数のネジ孔６１が形成されており、各ネジ孔６１は、各ネジ孔５４ａと対応する位置（つまり各固定用柱状部５４と対応する位置）に配置されている。そして、互いに対応するネジ孔６１からネジ孔５４ａに亘ってそれぞれ棒ネジ６２を螺入することによって、各固定用柱状部５４、ひいてはシルビウス裂模擬部１５２の全体が、フランジ状部１１１に対して固定されている。なお、棒ネジ６２の一端側には、例えば、六角穴が形成されており、六角レンチなどの工具を用いて、棒ネジ６２をネジ孔６１及びネジ孔５４ａに螺入することができるようになっている。
ただし、フランジ状部１１１に対してシルビウス裂模擬部１５２を固定する方法は、上記の例に限らず、他の固定方法を採用してもよい。
【００９１】
ここで、外殻部１０に対してシルビウス裂模擬部１５２が固定された状態で、シルビウス裂模擬部１５２の外側面５３が、筒状部１１４の内面１１４ａに沿って近接して配置されるか、又は、当該内面１１４ａに対して隙間なく密着して配置されるように、シルビウス裂模擬部１５２の外側面５３の形状が設定されている。
つまり、外側面５３は、筒状部１１４の内面１１４ａの凹凸形状（湾曲形状）、すなわち大脳の表面の皺を模した凹凸形状を反映した凹凸形状に形成されており、内面１１４ａに沿って配置される。
これにより、シルビウス裂模擬部１５２と内面１１４ａとの間の間隙が大きいことに起因する誤差を抑制できるため、実際のヒトの脳の状態をより一層リアルに反映した核医学撮影画像を得ることが可能となる。
予めシルビウス裂模擬部１５２をフランジ状部１１１に対して固定した上で、下蓋部１２に対して固定された線条体模擬部１５１を空洞部１１５に挿入することができるため、シルビウス裂模擬部１５２を内面１１４ａに近接させて（又は密着させて）配置する作業を容易に行うことができるとともに、線条体模擬部１５１をシルビウス裂模擬部１５２に近接させて配置する作業も容易となる。
【００９２】
なお、脳ファントム１００は、体積が互いに異なる複数種類のシルビウス裂模擬部１５２を備えており、このうちいずれか１種のシルビウス裂模擬部１５２を選択的に外殻部１０に固定できるようになっていても良い。脳ファントム１００は、例えば、シルビウス裂模擬部１５２及び線条体模擬部１５１が外殻部に１０に固定された状態でのシルビウス裂模擬部１５２の内側面５２と線条体模擬部１５１との間隙の大きさが互いに異なる複数種類のシルビウス裂模擬部１５２を備えている。当該間隙は、例えば、０．３ｃｍ以上１．５ｃｍ以下の範囲となるように設定され、当該間隙が互いに異なる複数のシルビウス裂模擬部１５２から一のシルビウス裂模擬部１５２を選択して外殻部１０に固定できるようになっている。これにより、被験者の脳の状態に応じて適切なシルビウス裂模擬部１５２を選択的に用いることができるため、実際の脳の状態をより一層リアルに反映した核医学撮影画像を得ることが可能となる。
【００９３】
また、上記の実施形態では、脳ファントム１００がシルビウス裂模擬部１５２を有する例を説明したが、脳ファントム１００は、必ずしもシルビウス裂模擬部１５２を備えていなくても良い。
【００９４】
また、上記の実施形態では、脳ファントム１００が脳室模擬部１６を備えている例を説明したが、脳ファントム１００は、必ずしも脳室模擬部１６を備えていなくても良い。
すなわち、脳ファントム１００は、ヒトの頭部の核医学撮影画像の評価に用いられる脳ファントムであって、線条体を模した形状及び寸法に形成され、且つ、内部に放射性液体を注入するための放射性液体注入口１５５を有する線条体模擬部１５１と、シルビウス裂と対応する位置に配置されるシルビウス裂模擬部１５２と、外殻部１０と、を備え、シルビウス裂模擬部１５２及び線条体模擬部１５１が外殻部１０に収容された状態となるように、シルビウス裂模擬部１５２及び線条体模擬部１５１を外殻部１０に固定可能に構成されているものであっても良い。
【００９５】
また、上記においては、固定ネジ１７、固定ネジ１９がそれぞれネジ構造である例を説明したが、固定ネジ１７及び固定ネジ１９の代わりに、それぞれ固定対象（固定部１６５）に対して嵌合する部材を用いても良い。
同様に、栓部材１８は、軸孔部１７３に対して嵌合することによって固定される部材であっても良い。
【００９６】
また、上記においては、固定ネジ１７の貫通孔が、軸孔部１７３及び横孔部１７４により構成されている例を説明したが、貫通孔の一部分は、固定ネジ１７の外面に形成された溝と天盤部１１６との間の間隙により構成されるようになっていても良い。
【００９７】
また、上記においては、支柱部１５３が内腔１２７に差し込まれることによって、シルビウス裂一体型線条体模擬部１５が支柱部１５３の軸周りにおいて位置決めされる例を説明したが、支柱部１５３が内腔１２７に差し込まれた状態で、支柱部１５３がその軸周りに回転可能となっていて、固定ネジ１３を用いて支柱部１５３が筒状支持突起１２６に固定されることによって、シルビウス裂一体型線条体模擬部１５が支柱部１５３の軸周りにおいて位置決めされるようになっていても良い。すなわち、支柱部１５３は、円筒形状に形成されていても良い。
【００９８】
また、上記においては、脳室模擬部１６が中空構造である例を説明したが、脳室模擬部１６は、空洞部１６２を有していない中実構造（中空でない構造）であっても良い。
また、上記においては、シルビウス裂模擬部１５２が中実構造である例を説明したが、シルビウス裂模擬部１５２は中空構造であっても良い。この場合、シルビウス裂模擬部１５２の中空に貯留される液体は、例えば、水、又は、上記低濃度ＲＩ液よりも更に低濃度のＲＩ液とすることができる。
【００９９】
本実施形態は以下の技術思想を包含する。
（１）ヒトの頭部の核医学撮影画像の評価に用いられる脳ファントムであって、脳室と対応する位置に配置される脳室模擬部と、外殻部と、を備え、前記外殻部に前記脳室模擬部が収容された状態となるように、前記脳室模擬部を前記外殻部に固定可能である脳ファントム。
（２）前記脳室模擬部は、内部に液体を注入するための液体注入口を有する脳室中空部を含んで構成されている（１）に記載の脳ファントム。
（３）前記脳室模擬部は、前記脳室中空部を支持しているとともに前記外殻部に対して着脱可能に固定される固定部を更に備えている（２）に記載の脳ファントム。
（４）前記外殻部は、前記固定部が固定される盤状部を有し、当該脳ファントムは、前記盤状部を貫通した状態に設けられて前記固定部を前記盤状部に固定する固定ネジを更に備え、前記固定部は、前記盤状部に対して固定された状態で、前記盤状部の内面に対して面接触する固定面を有し、前記固定部には、前記固定ネジの先端部が螺入されるネジ孔が、前記固定面に開口した状態に形成されており、前記固定面には、前記ネジ孔における開口側の端部から前記固定面の端まで延在する溝が形成され、前記固定ネジには、当該固定ネジを貫通する貫通孔が形成され、前記固定ネジによって前記固定部が前記盤状部に固定された状態では、前記貫通孔及び前記溝を介して、前記外殻部の内部の空間と外部の空間とが相互に連通する（３）に記載の脳ファントム。
（５）前記貫通孔は、前記固定ネジの軸心方向に延在する軸孔部と、前記軸心方向に対して交差する方向に延在していて一端が前記軸孔部に連通し他端が前記固定ネジの軸部の周面に開口している横孔部と、を含んで構成されている（４）に記載の脳ファントム。
（６）体積が互いに異なる複数の前記脳室模擬部を備え、前記複数の脳室模擬部のうちのいずれか１つを選択的に前記外殻部に固定可能である（１）から（５）のいずれか一項に記載の脳ファントム。
（７）線条体を模した形状及び寸法の中空形状に形成され、且つ、内部に放射性液体を注入するための放射性液体注入口を有する線条体模擬部を更に備え、前記線条体模擬部及び前記脳室模擬部が前記外殻部に収容された状態となるように、前記線条体模擬部と前記脳室模擬部とを前記外殻部に固定可能である（１）から（６）のいずれか一項に記載の脳ファントム。
（８）シルビウス裂と対応する位置に配置されるシルビウス裂模擬部を更に備え、前記シルビウス裂模擬部、前記線条体模擬部及び前記脳室模擬部が前記外殻部に収容された状態となるように、前記シルビウス裂模擬部、前記線条体模擬部及び前記脳室模擬部を前記外殻部に固定可能である（７）に記載の脳ファントム。
（９）前記線条体模擬部と前記シルビウス裂模擬部とを互いに一体に有するシルビウス裂一体型線条体模擬部を備え、前記シルビウス裂一体型線条体模擬部と前記脳室模擬部とが前記外殻部に収容された状態となるように、前記シルビウス裂一体型線条体模擬部と前記脳室模擬部とを前記外殻部に固定可能である（８）に記載の脳ファントム。
（１０）前記シルビウス裂模擬部は、前記線条体模擬部とは別体に形成され、前記外殻部に対して着脱可能に設けられる（８）に記載の脳ファントム。
（１１）前記外殻部は、下面側に開口が形成されているドーム型の外殻本体部と、前記外殻本体部の前記開口を閉塞する状態で前記外殻本体部に対して着脱可能に固定される下蓋部と、を備え、前記脳室模擬部は、前記外殻本体部において前記下蓋部と対向する部位に対して固定され、前記線条体模擬部は、前記下蓋部に対して固定される（７）から（１０）のいずれか一項に記載の脳ファントム。
（１２）ヒトの頭部の核医学撮影画像の評価に用いられる脳ファントムであって、線条体を模した形状及び寸法の中空形状に形成され、且つ、内部に放射性液体を注入するための放射性液体注入口を有する線条体模擬部と、シルビウス裂と対応する位置に配置されるシルビウス裂模擬部と、外殻部と、を備え、前記シルビウス裂模擬部及び前記線条体模擬部が前記外殻部に収容された状態となるように、前記シルビウス裂模擬部及び前記線条体模擬部を前記外殻部に固定可能である脳ファントム。
【符号の説明】
【０１００】
１０  外殻部
１１  外殻本体部
１１１  フランジ状部
１１２  ネジ孔
１１３  開口
１１４  筒状部
１１５  空洞部
１１６  天盤部
１１７  突起部
１１８、１１９  ネジ孔
１２  下蓋部
１２１  環状盤部
１２２  ネジ孔
１２３  環状溝
１２４  上段溝部
１２５  支持台
１２６  筒状支持突起
１２７  内腔
１２８  ネジ孔
１３  固定ネジ
１４  栓部材
１５、１５ａ、１５ｂ  シルビウス裂一体型線条体模擬部
１５１  線条体模擬部
１５２  シルビウス裂模擬部
１５３  支柱部
１５４  空洞部
１５５  放射性液体注入口
１５６  膨出部
１６  脳室模擬部
１６ａ  第１脳室模擬部
１６ｂ  第２脳室模擬部
１６ｃ  第３脳室模擬部
１６１  脳室中空部
１６２  空洞部
１６３  液体注入口
１６４  液体注入口
１６５  固定部
１６６  ネジ孔
１６７  ネジ孔
１６８  溝
１７  固定ネジ
１７１  頭部
１７２  軸部
１７３  軸孔部
１７４  横孔部
１７５  環状溝
１８  栓部材
１８１  頭部
１８２  軸部
１９  固定ネジ
１９１  頭部
１９２  軸部
２０  脳骨部材
２１  第１部分
２２  第２部分
２３  接合用段差部
２４  接合用段差部
３１  固定ネジ
４１  栓部材
４２  栓部材
５１  本体部
５２  内側面
５３  外側面
５４  固定用柱状部
５４ａ  ネジ孔
６１  ネジ孔
６２  固定用棒ネジ
１００  脳ファントム
Ｌ１、Ｌ２、Ｌ３  突出長
Ｗ１、Ｗ２、Ｗ３  幅
【図１】
0006775299.tif 000002
【図２】
0006775299.tif 000003
【図３】
0006775299.tif 000004
【図４】
0006775299.tif 000005
【図５】
0006775299.tif 000006
【図６】
0006775299.tif 000007
【図７】
0006775299.tif 000008
【図８】
0006775299.tif 000009
【図９】
0006775299.tif 000010
【図１０】
0006775299.tif 000011
【図１１】
0006775299.tif 000012
【図１２】
0006775299.tif 000013
【図１３】
0006775299.tif 000014
【図１４】
0006775299.tif 000015
【図１５】
0006775299.tif 000016
【図１６】
0006775299.tif 000017